(57)【特許請求の範囲】
【請求項１】
電路中に配設されタップ切換が可能な変圧器の下位における電圧値に関する情報を取得する電圧値取得手段と、
前記電圧値取得手段が取得した情報に基づいて、第１の所定時間帯ごとの前記電圧値の平均値（第１の平均値）を算出する第１の平均値算出手段と、
前記第１の平均値算出手段が算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出手段と、
前記第２の平均値算出手段が算出した第２の平均値があらかじめ設定された規定量以上であるか否かを判断する判断手段と、
前記判断手段が前記第２の平均値が前記規定量以上であると判断した場合に、前記変圧器の電圧値を調整する自動電圧調整器に対して整定値の変更を指示する変更指示を出力する変更指示出力手段と、
を備えたことを特徴とする電圧管理装置。
【請求項２】
前記判断手段は、前記第２の所定時間帯ごとに前記第２の平均値が前記規定量以上であるか否かを判断し、
前記変更指示出力手段は、前記第２の平均値が前記規定量以上であると判断された第２の平均値の算出にかかる第１の平均値が該当する第１の所定時間帯における整定値の変更を指示する変更指示を出力することを特徴とする請求項１に記載の電圧管理装置。
【請求項３】
前記第１の平均値と前記目標電圧値とに基づいて、前記第２の所定時間帯における各前記第１の平均値を、各前記第１の所定時間帯の前記目標電圧値に近づけるように各前記第１の平均値に加算あるいは減算する変更量を算出する変更量算出手段を備え、
前記変更指示出力手段は、前記変更量算出手段が算出した変更量に関する情報を含む前記変更指示を出力することを特徴とする請求項１または２に記載の電圧管理装置。
【請求項４】
前記判断手段が、前記第２の平均値が前記規定量以上であると判断した場合に、所定のユーザーインターフェースを介して、前記変更指示の出力の可否に関する指示情報の入力を要求する入力要求を出力する入力要求出力手段を備え、
前記変更指示出力手段は、前記入力要求出力手段が出力した入力要求に対する指示情報に基づいて前記変更指示を出力することを特徴とする請求項１〜３のいずれか一つに記載の電圧管理装置。
【請求項５】
前記変更指示出力手段による前記変更指示の出力回数を記憶する出力回数記憶手段と、
前記出力回数記憶手段が記憶する出力回数が、あらかじめ設定された規定回数以上であるか否かを判断する出力回数判断手段と、
前記出力回数判断手段が前記出力回数が前記規定回数以上であると判断した場合に、所定のユーザーインターフェースを介して、前記出力回数が前記規定回数以上であることを報知する報知手段と、
を備えたことを特徴とする請求項１〜４のいずれか一つに記載の電圧管理装置。
【請求項６】
電路中に配設されタップ切換が可能な変圧器の電圧値を調整する自動電圧調整器と通信可能な電圧管理装置の電圧管理方法であって、
前記変圧器の下位における電圧値に関する情報を取得する電圧値取得工程と、
前記電圧値取得工程において取得した情報に基づいて、第１の所定時間帯ごとの前記電圧値の平均値（第１の平均値）を算出する第１の平均値算出工程と、
前記第１の平均値算出工程において算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出工程と、
前記第２の平均値算出工程において算出した第２の平均値があらかじめ設定された規定量以上であるか否かを判断する判断工程と、
前記判断工程において前記第２の平均値が前記規定量以上であると判断した場合に、前記変圧器の電圧値を調整する自動電圧調整器に対して整定値の変更を指示する変更指示を出力する変更指示出力工程と、
を含んだことを特徴とする電圧管理方法。
【請求項７】
電路中に配設されタップ切換が可能な変圧器の電圧値を調整する自動電圧調整器と通信可能な電圧管理装置に用いる電圧管理プログラムであって、
前記変圧器の下位における電圧値に関する情報を取得する電圧値取得工程と、
前記電圧値取得工程において取得した情報に基づいて、第１の所定時間帯ごとの前記電圧値の平均値（第１の平均値）を算出する第１の平均値算出工程と、
前記第１の平均値算出工程において算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出工程と、
前記第２の平均値算出工程において算出した第２の平均値があらかじめ設定された規定量以上であるか否かを判断する判断工程と、
前記判断工程において前記第２の平均値が前記規定量以上であると判断した場合に、前記変圧器の電圧値を調整する自動電圧調整器に対して整定値の変更を指示する変更指示を出力する変更指示出力工程と、
を実行させることを特徴とする電圧管理プログラム。
【発明の詳細な説明】
【技術分野】
【０００１】
この発明は、電路における電圧を管理する電圧管理装置、電圧管理方法および電圧管理プログラムに関する。
【背景技術】
【０００２】
送配電系統を構成する電路においては、当該電路中に設けられた電気所（変電所）などにおいて負荷時タップ切換付変圧器を設置し、電気所（変電所）から送出する電圧を調整するようにしている。自動電圧調整継電器は、あらかじめ設定された目標電圧値（整定値）に基づいて負荷時タップ切換付変圧器におけるタップの切り換えを制御することによって作業者の操作を介することなく電圧調整をおこなっている。従来、送配電系統における電圧状況は、電圧の管理を担う担当者が常時監視していた。
【０００３】
上記のような送配電系統においては、従来、目標電圧値（整定値）からのずれが生じた場合、該当する変圧器における目標電圧値（整定値）を変更する、いわゆる整定変更をおこなうかどうかの判断を電圧の管理を担う担当者がおこなっており煩雑であった。また、従来、電圧の管理を担う担当者が整定変更をおこなうと判断した場合は、該当する変圧器に対する作業をおこなう担当作業者が、整定変更の対象となる変圧器が設置されている電気所（変電所）に赴き、当該変圧器のタップの切り換えを制御する自動電圧調整継電器に対する整定変更作業をおこなっており煩雑であった。
【０００４】
上記の不具合を解消するために、従来、具体的には、たとえば、高圧自動電圧調整器に入力される一次電圧と、出力される二次電圧とを計時的に記録して１日における一次、二次電圧の３０分移動平均電圧の最大及び最小値を記録する手段と、タップ切換前後の一次、二次電圧とタップ切換回数、タップ番号を記録する手段とを具備し、これら各記録を一旦データ記録手段に計時的に記録し、高圧自動電圧調整器の稼働状況の把握時、データ記録手段に記録されたデータを取り出してこれをＩＣカードリーダを介してデータ解析手段に取込み解析して図表化し、この図表化されたデータに基づいて、高圧配電線路の電圧調整精度、負荷状態等を把握可能とした技術があった（たとえば、下記特許文献１を参照。）。
【０００５】
また、上記の不具合を解消するために、従来、具体的には、たとえば、線路電圧を検出する計器用変圧器の二次コイルに補正電圧発生装置の出力トランスの二次巻線を直列に接続し、中央指令所から与えられる電圧補正指令に応じて線路電圧を補正するために計器用変圧器の出力電圧に重畳する必要がある補正電圧を出力トランスから出力させ、計器用変圧器の出力電圧と補正電圧とが重畳された電圧を電圧継電器に与え、与えられた入力電圧が整定値よりも高いか低いかに応じて電圧継電器がタップ下げ指令またはタップ上げ指令を発生するようにした技術があった（たとえば、下記特許文献２を参照。）。
【先行技術文献】
【特許文献】
【０００６】
【特許文献１】特許第３２９２４３０号公報
【特許文献２】特許第４３０６８２６号公報
【発明の概要】
【発明が解決しようとする課題】
【０００７】
しかしながら、上述した特許文献１に記載された従来の技術は、稼働状況により装置不良や目標値からのずれはすぐに分かるが、データを確認するまでは目標値からずれた状態で運用したままとなり、法令で定められた電圧を逸脱したままの運用となってしまうため、電圧品質が劣るという問題があった。
【０００８】
また、上述した特許文献１に記載された従来の技術は、データを確認し整定変更をおこなうためには都度電気所へ赴かなくてはならず、電圧管理にかかる作業が繁雑であり、当該作業にかかる作業者の負担がおおきいという問題があった。
【０００９】
また、上述した特許文献２に記載された従来の技術は、電気所に赴かなくても整定変更をおこなうことができるが、整定変更をおこなうか否かの判断は電圧管理を担う作業者がおこなう必要があるため、電圧状況を定期的にチェックしなくてはならず電圧管理にかかる作業が繁雑であり、当該作業にかかる作業者の負担が大きいという問題があった。
【００１０】
この発明は、上述した従来技術による問題点を解消するため、電圧状況の管理にかかる作業者の負担軽減を図るとともに、電圧品質の向上を図ることができる電圧管理装置、電圧管理方法および電圧管理プログラムを提供することを目的とする。
【課題を解決するための手段】
【００１１】
上述した課題を解決し、目的を達成するため、この発明にかかる電圧管理装置は、電路中に配設されタップ切換が可能な変圧器の下位における電圧値に関する情報を取得する電圧値取得手段と、前記電圧値取得手段が取得した情報に基づいて、第１の所定時間帯ごとの前記電圧値の平均値（第１の平均値）を算出する第１の平均値算出手段と、前記第１の平均値算出手段が算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出手段と、前記第２の平均値算出手段が算出した第２の平均値があらかじめ設定された規定量以上であるか否かを判断する判断手段と、前記判断手段が前記第２の平均値が前記規定量以上であると判断した場合に、前記変圧器の電圧値を調整する自動電圧調整器に対して整定値の変更を指示する変更指示を出力する変更指示出力手段と、を備えたことを特徴とする。
【００１２】
また、この発明にかかる電圧管理装置は、上記の発明において、前記判断手段が、前記第２の所定時間帯ごとに前記第２の平均値が前記規定量以上であるか否かを判断し、前記変更指示出力手段が、前記第２の平均値が前記規定量以上であると判断された第２の平均値の算出にかかる第１の平均値が該当する第１の所定時間帯における整定値の変更を指示する変更指示を出力することを特徴とする。
【００１３】
また、この発明にかかる電圧管理装置は、上記の発明において、前記第１の平均値と前記目標電圧値とに基づいて、前記第２の所定時間帯における各前記第１の平均値を、各前記第１の所定時間帯の前記目標電圧値に近づけるように各前記第１の平均値に加算あるいは減算する変更量を算出する変更量算出手段を備え、前記変更指示出力手段が、前記変更量算出手段が算出した変更量に関する情報を含む前記変更指示を出力することを特徴とする。
【００１４】
また、この発明にかかる電圧管理装置は、上記の発明において、前記判断手段が、前記第２の平均値が前記規定量以上であると判断した場合に、所定のユーザーインターフェースを介して、前記変更指示の出力の可否に関する指示情報の入力を要求する入力要求を出力する入力要求出力手段を備え、前記変更指示出力手段が、前記入力要求出力手段が出力した入力要求に対する指示情報に基づいて前記変更指示を出力することを特徴とする。
【００１５】
また、この発明にかかる電圧管理装置は、上記の発明において、前記変更指示出力手段による前記変更指示の出力回数を記憶する出力回数記憶手段と、前記出力回数記憶手段が記憶する出力回数が、あらかじめ設定された規定回数以上であるか否かを判断する出力回数判断手段と、前記出力回数判断手段が前記出力回数が前記規定回数以上であると判断した場合に、所定のユーザーインターフェースを介して、前記出力回数が前記規定回数以上であることを報知する報知手段と、を備えたことを特徴とする。
【００１６】
また、この発明にかかる電圧管理方法は、電路中に配設されタップ切換が可能な変圧器の電圧値を調整する自動電圧調整器と通信可能な電圧管理装置の電圧管理方法であって、前記変圧器の下位における電圧値に関する情報を取得する電圧値取得工程と、前記電圧値取得工程において取得した情報に基づいて、第１の所定時間帯ごとの前記電圧値の平均値（第１の平均値）を算出する第１の平均値算出工程と、前記第１の平均値算出工程において算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出工程と、前記第２の平均値算出工程において算出した第２の平均値があらかじめ設定された規定量以上であるか否かを判断する判断工程と、前記判断工程において前記第２の平均値が前記規定量以上であると判断した場合に、前記変圧器の電圧値を調整する自動電圧調整器に対して整定値の変更を指示する変更指示を出力する変更指示出力工程と、を含んだことを特徴とする。
【００１７】
また、この発明にかかる電圧管理プログラムは、電路中に配設されタップ切換が可能な変圧器の電圧値を調整する自動電圧調整器と通信可能な電圧管理装置に用いる電圧管理プログラムであって、前記変圧器の下位における電圧値に関する情報を取得する電圧値取得工程と、前記電圧値取得工程において取得した情報に基づいて、第１の所定時間帯ごとの前記電圧値の平均値（第１の平均値）を算出する第１の平均値算出工程と、前記第１の平均値算出工程において算出した第１の平均値とあらかじめ設定された前記第１の所定時間帯ごとの目標電圧値との差分の、前記第１の所定時間帯よりも長い第２の所定時間帯における平均値（第２の平均値）を算出する第２の平均値算出工程と、前記第２の平均値算出工程において算出した第２の平均値があらかじめ設定された規定量以上であるか否かを判断する判断工程と、前記判断工程において前記第２の平均値が前記規定量以上であると判断した場合に、前記変圧器の電圧値を調整する自動電圧調整器に対して整定値の変更を指示する変更指示を出力する変更指示出力工程と、を実行させることを特徴とする。
【発明の効果】
【００１８】
この発明にかかる電圧管理装置、電圧管理方法および電圧管理プログラムによれば、電圧状況の管理にかかる作業者の負担軽減を図るとともに、電圧品質の向上を図ることができるという効果を奏する。
【図面の簡単な説明】
【００１９】
【図１】この発明にかかる実施の形態の電圧管理装置を備える電圧管理システムのシステム構成を示す説明図である。
【図２】この発明にかかる実施の形態の電圧管理システムにおける、電圧管理装置を実現するコンピュータ装置を実現するコンピュータ装置のハードウエア構成を示すブロック図である。
【図３】この発明にかかる実施の形態の電圧管理装置が備える目標電圧値データベースを示す説明図である。
【図４】この発明にかかる実施の形態の電圧管理装置が備える測定値データベースを示す説明図である。
【図５】この発明にかかる実施の形態の電圧管理装置が備える処理結果データベースを示す説明図である。
【図６】この発明にかかる実施の形態の電圧管理装置が備える整定変更量データベースを示す説明図である。
【図７】この発明にかかる実施の形態の電圧管理装置が備える想定値データベースを示す説明図である。
【図８】電圧カーブの一例を示すグラフである。
【図９】出力回数データベースの一例を示す説明図である。
【図１０】この発明にかかる実施の形態の電圧管理装置の表示画面例を示す説明図（その１）である。
【図１１】この発明にかかる実施の形態の電圧管理装置の表示画面例を示す説明図（その２）である。
【図１２】この発明にかかる実施の形態の電圧管理装置の機能的構成を示すブロック図である。
【図１３】この発明にかかる実施の形態の電圧管理システムにおける電圧管理装置の処理手順を示すフローチャート（その１）である。
【図１４】この発明にかかる実施の形態の電圧管理システムにおける電圧管理装置の処理手順を示すフローチャート（その２）である。
【発明を実施するための形態】
【００２０】
以下に添付図面を参照して、この発明にかかる電圧管理装置、電圧管理方法および電圧管理プログラムの好適な実施の形態を詳細に説明する。
【００２１】
（電圧管理システムのシステム構成）
まず、この発明にかかる実施の形態の電圧管理装置を備える電圧管理システムのシステム構成について説明する。図１は、この発明にかかる実施の形態の電圧管理装置を備える電圧管理システムのシステム構成を示す説明図である。
【００２２】
図１において、この発明にかかる実施の形態の電圧管理システム１００は、変圧器１１０と、計器用変圧器１２０と、自動電圧調整継電器１３０と、電圧管理装置１４０と、を備えている。変圧器１１０、計器用変圧器１２０、自動電圧調整継電器１３０は、電気所（変電所）１０１（１０１−１、１０１−２、・・・、１０１−Ｎ）ごとに設置されている。電圧管理装置１４０は、制御所１０２に設置されている。制御所１０２は、複数の電気所１０１における電圧の調整をおこなう。
【００２３】
計器用変圧器１２０と電圧管理装置１４０、および、自動電圧調整継電器１３０と電圧管理装置１４０とは、インターネットなどのネットワークを介して通信可能に接続されている。あるいは、計器用変圧器１２０と電圧管理装置１４０、および、自動電圧調整継電器１３０と電圧管理装置１４０とは、専用のネットワークを介して通信可能に接続されていてもよい。
【００２４】
変圧器１１０は、送配電系統を構成する電路中に設置される。変圧器１１０は、当該変圧器１１０よりも上位系（一次側、高圧側）から供給される電圧を変更（変圧）し、変圧した電圧を変圧器１１０の下位系（二次側、低圧側）に供給する。変圧器１１０は、たとえば、変圧器１１０よりも上位系の電圧よりも下位系の電圧の方が低くなるように電圧を変換する、いわゆる降圧をおこなう。
【００２５】
具体的には、変圧器１１０は、たとえば、変圧器１１０よりも上位系から供給される６６００Ｖや２２０００Ｖなどの高い電圧を、１００Ｖや２００Ｖの一般家庭の電気設備などにおいて使いやすい電圧に変更する。変圧器１１０は、降圧をおこなうものに限らない。変圧器１１０は、たとえば、変圧器１１０よりも上位系の電圧よりも下位系の電圧の方が高くなるように電圧を変換する、いわゆる昇圧をおこなうものであってもよい。
【００２６】
変圧器１１０は、負荷時タップ切換装置を備えている。負荷時タップ切換装置は、負荷時タップ切換器、当該負荷時タップ切換器の駆動装置、付属装置などを含んで構成されている。この実施の形態において、変圧器１１０は、下位系の電圧を停電させずにタップを切り換えて下位系の電圧を変えることができる。
【００２７】
負荷時タップ切換装置は、電圧の変動に応じて、変圧器１１０の負荷をかけた状態で、変圧器１１０における巻線のタップを切り換え、変圧器１１０における巻数比を変更することによって電路中を流れる電気の電圧を調整する。変圧器１１０における巻数比は、たとえば、巻線に設けられたタップ上の所定の位置をタップ選択器で選択することによって、所定の範囲内で変更することができる。
【００２８】
負荷時タップ切換装置は、変圧器１１０の上位系で電圧調整をおこなうものであってもよく、変圧器１１０の下位系で電圧調整をおこなうものであってもよい。変圧器１１０と負荷時タップ切換装置とは、別体であってもよく、変圧器１１０と負荷時タップ切換装置とを組み合わせた負荷時タップ切換変圧器によって実現されるものであってもよい。
【００２９】
負荷時タップ切換装置の電圧調整方式は、直接式であっても間接式であってもよい。直接式は、外部回路に直接接続された巻線の負荷電流が、負荷時タップ切換器を通過するように結線される。間接式は、直列変圧器１１０の励磁巻線を流れる電流が負荷時タップ切換器を通過するように結線される。負荷時タップ切換装置は、タップ切換時に変圧器１１０のタップ間に流れる循環電流を制限する機構を備えていてもよい。負荷時タップ切換装置および変圧器１１０に一体的に設けられた負荷時タップ切換装置については、公知の技術により容易に実現可能であるため説明を省略する。
【００３０】
自動電圧調整継電器１３０は、電圧管理システム１００における電圧管理装置１４０と変圧器１１０との間に設けられ、変圧器１１０（変圧器１１０が備える負荷時タップ切換装置）を制御する。自動電圧調整継電器１３０は、たとえば、電磁石や半導体によって実現されるスイッチを備える補助継電器（制御用継電器）によって実現することができ、電圧管理装置１４０から出力される電気信号に基づいて当該スイッチを開閉制御することによって変圧器１１０（変圧器１１０が備える負荷時タップ切換装置）を制御する。
【００３１】
計器用変圧器（ＶＴ：Ｖｏｌｔａｇｅ  Ｔｒａｎｓｆｏｒｍｅｒ、ＰＴ：Ｐｏｔｅｎｔｉａｌ  Ｔｒａｎｓｆｏｒｍｅｒ）１２０は、電路中において変圧器１１０よりも下位（下位系側）に設けられ、高い電圧を制御回路などに使用しやすい電圧（たとえばＡＣ１１０Ｖ）に降圧させる。計器用変圧器１２０は、変圧器１１０と比較して、測定誤差を小さくするために巻線の電気抵抗や磁束の漏れが小さくなるように構成されている。計器用変圧器１２０は、変圧器１１０と比較して、小容量であるため二次側に流す電流が少量でよい。
【００３２】
電圧管理装置１４０は、計器用変圧器１２０が降圧した電圧値に関する情報を取得し、取得した電圧値に関する情報に基づいて所定の演算をおこない、当該所定の演算の結果にしたがって自動電圧調整器１３０における整定値の変更をおこなうための所定の処理をおこなう。電圧管理装置１４０は、たとえば、パーソナルコンピュータなどのコンピュータ装置によって実現することができる。電圧管理装置１４０を実現するコンピュータ装置のハードウエア構成については、説明を後述する（図２を参照）。また、電圧管理装置１４０がおこなう所定の演算および所定の処理については、説明を後述する（図４を参照）。
【００３３】
（電圧管理装置１４０を実現するコンピュータ装置のハードウエア構成）
つぎに、この発明にかかる実施の形態の電圧管理システム１００における、電圧管理装置１４０を実現するコンピュータ装置のハードウエア構成について説明する。図２は、この発明にかかる実施の形態の電圧管理システム１００における、電圧管理装置１４０を実現するコンピュータ装置を実現するコンピュータ装置のハードウエア構成を示すブロック図である。
【００３４】
図２において、この発明にかかる実施の形態の電圧管理システム１００における、電圧管理装置１４０を実現するコンピュータ装置は、ＣＰＵ２０１と、ＲＯＭ２０２と、ＲＡＭ２０３と、ＨＤＤ２０４と、ＨＤ２０５と、ＦＤＤ２０６と、着脱可能な記憶媒体の一例としてのＦＤ２０７と、ディスプレイ２０８と、操作部２０９と、プリンタ２１０と、ネットワークＩ／Ｆ２１１と、を備えている。また、この発明にかかる実施の形態の電圧管理システム１００における、電圧管理装置１４０を実現するコンピュータ装置が備える各部２０１〜２１１は、バス２１２によってそれぞれ接続されている。
【００３５】
ＣＰＵ２０１は、電圧管理装置１４０を実現するコンピュータ装置全体の制御をつかさどる。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３６】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。ＦＤ２０７に代えてあるいはＦＤ２０７に加えて、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などの各種の記憶媒体を、着脱可能な記憶媒体として用いてもよい。この場合、この発明にかかる実施の形態の電圧管理システム１００における、電圧管理装置１４０を実現するコンピュータ装置は、各種の記憶媒体に対するデータのリード／ライトを制御するドライブを備える。
【００３７】
ディスプレイ２０８は、たとえば液晶パネルを備えた表示装置によって実現することができる。ディスプレイ２０８を実現する液晶パネルは、任意の文字列、数字、記号などを表示することができる。ディスプレイ２０８を実現する液晶パネルは、具体的には、たとえば、電圧の調整にかかる各種の表示画面（図３を参照）などを表示する。
【００３８】
操作部２０９は、利用者による各種の入力操作を受け付ける。操作部２０９は、具体的には、たとえば、タッチパネル、キーボード、テンキーなどによって実現することができる。また、操作部２０９は、たとえば、マウスによって実現してもよい。タッチパネル、キーボード、テンキー、マウスなどによって実現される操作部２０９は、当該操作部２０９に対する入力操作に応じた信号を出力する。
【００３９】
プリンタ２１０は、所定の媒体に対して、電圧カーブを示すグラフなどを印字する印字処理をおこなう。プリンタ２１０は、レーザプリンタ、インクジェットプリンタ、インパクトドットプリンタなど公知の各種の印字方式のプリンタによって実現することができる。プリンタ２１０は、用紙を保持する用紙保持機構や、用紙に対して印字をおこなうプリンタヘッドなどを備えて構成されている。
【００４０】
ネットワークＩ／Ｆ２１１は、インターネットなどのネットワークに接続され、当該ネットワークを介して、自動電圧調整継電器１３０や計器用変圧器１２０などの外部装置に接続される。そして、ネットワークＩ／Ｆ２１１は、ネットワークと電圧管理装置１４０を実現するコンピュータ装置の内部とのインターフェースをつかさどり、電圧管理装置１４０を実現するコンピュータ装置と外部装置との間におけるデータの入出力を制御する。
【００４１】
電圧管理装置１４０は、計器用変圧器１２０との間で通信をおこなうことにより、当該計器用変圧器１２０が降圧した電圧値に関する情報を取得する。この実施の形態の電圧管理システムにおいて、変圧器１１０が複数存在する場合、電圧管理装置１４０は電圧値に関する情報に加えて、当該電圧値に関する情報の取得元となる計器用変圧器１２０が接続された変圧器１１０の識別情報を取得する。変圧器１１０の識別情報は、電圧管理システムにおける変圧器１１０を識別可能な、変圧器１１０に固有の情報であって、たとえば、任意の桁数の数字によって実現することができる。
【００４２】
（電圧管理装置１４０が備えるデータベースの一例）
つぎに、電圧管理装置１４０が備えるデータベースについて説明する。電圧管理装置１４０が備える各種のデータベースは、電圧管理装置１４０を実現するコンピュータ装置が備えるＨＤ２０５に設けられている。
【００４３】
電圧管理装置１４０が備える各種のデータベースは、電圧管理装置１４０を実現するコンピュータ装置が備えるＨＤ２０５などの記憶媒体に一体に設けられているものに限らない。電圧管理装置１４０が備える各種のデータベースは、電圧管理装置１４０を実現するコンピュータ装置とは別体で設けられた記憶媒体や、電圧管理装置１４０を実現するコンピュータ装置とは異なるコンピュータ装置が備える記憶媒体に設けられていてもよい。
【００４４】
（目標電圧値データベースの一例）
つぎに、この発明にかかる実施の形態の電圧管理装置１４０が備える目標電圧値データベースについて説明する。図３は、この発明にかかる実施の形態の電圧管理装置１４０が備える目標電圧値データベースを示す説明図である。
【００４５】
図３において、この発明にかかる実施の形態の電圧管理装置１４０が備える目標電圧値データベース３００は、あらかじめ設定された第１の所定時間帯ごとに、目標電圧値を関連付けて記憶する。目標電圧値は、電圧管理システム１００における電圧管理作業をおこなう作業者などによってあらかじめ設定される（図１における「（１）初期設定」を参照）任意の数値によって実現することができる。電圧管理システム１００において、変圧器１１０が複数存在する場合、目標電圧値は、複数の変圧器１１０にわたって同じ値を設定してもよいし、変圧器１１０ごとに個別の値を設定してもよい。
【００４６】
第１の所定時間帯は、所定期間のうちの、或る時刻と或る時刻との間の一定の時間によって実現することができる。具体的には、たとえば、「１日（２４時間）」を所定期間とした場合は、「１時〜２時（１時５９分５９秒）」、「２時〜３時（２時５９分５９秒）」、・・・、「２３時〜２４時（２３時５９分５９秒）」などを第１の所定時間帯とすることができる。また、具体的には、たとえば、「１ヶ月」を所定期間とした場合は、「１日（１日の０時０分０秒〜１日の２３時５９分５９秒）」、「２日（２日の０時分０分０秒〜２日の２３時分５９分５９秒）」、・・・、「３０日（３０日の０時分０分０秒〜３０日の２３時分５９分５９秒）」などを第１の所定時間帯とすることができる。
【００４７】
（測定値データベースの一例）
つぎに、この発明にかかる実施の形態の電圧管理装置１４０が備える測定値データベースについて説明する。図４は、この発明にかかる実施の形態の電圧管理装置１４０が備える測定値データベースを示す説明図である。
【００４８】
図４において、この発明にかかる実施の形態の電圧管理装置１４０が備える測定値データベース４００は、第１の所定時間帯（第１の所定時間帯を特定可能な情報）ごとに、当該第１の所定時間帯において取得（測定）した電圧値（第１の所定時間帯において取得した電圧値に関する情報）を関連付けて記憶する。この発明にかかる実施の形態の電圧管理システムが電圧を管理する変圧器１１０が複数存在する場合、測定値データベース４００は、変圧器１１０ごとに、第１の所定時間帯ごとの電圧値を関連付けて記憶する。
【００４９】
この発明にかかる実施の形態の電圧管理システムにおいて、第１の所定時間帯における電圧値の取得（測定）は、当該第１の所定時間帯において１回以上おこなう。第１の所定時間帯において１回の電圧値の取得（測定）をおこなった場合、測定値データベース４００は、第１の所定時間帯ごとに、取得（測定）をおこなった１回分の電圧値（取得（測定）をおこなった１回分の電圧値に関する情報）を記憶する（図１における「（２）データ蓄積」を参照）。
【００５０】
あるいは、第１の所定時間帯において複数回の電圧値の取得（測定）をおこなった場合、測定値データベース４００は、第１の所定時間帯ごとに、取得（測定）をおこなった複数回分の電圧値の平均値（取得（測定）をおこなった複数回分の電圧値の平均値に関する情報）を記憶する。
【００５１】
この発明にかかる実施の形態の電圧管理システムが電圧を管理する変圧器１１０が複数存在する場合、測定値データベース４００は、変圧器１１０ごとに、第１の所定時間帯ごとの電圧値（第１の所定時間帯ごとの電圧値に関する情報）を関連付けて記憶する。第１の所定時間帯において複数回の電圧値の取得（測定）をおこなった場合、測定値データベース４００は、変圧器１１０ごとに、第１の所定時間帯ごとの電圧値の平均値（第１の所定時間帯ごとの電圧値の平均値に関する情報）を関連付けて記憶する。そして、この場合、電圧管理装置１４０は、第１の所定時間帯ごとの電圧値（第１の所定時間帯ごとの電圧値に関する情報）に、各変圧器１１０を識別する所定の識別情報を関連付けて記憶する。
【００５２】
測定値データベース４００は、過去に取得した電圧値の平均値をすべて累積して記憶する。あるいは、測定値データベース４００は、過去に取得した電圧値の平均値のうち、たとえば「現在日時から１０年間分」などのように、任意の期間において取得した電圧値の平均値を記憶していてもよい。測定値データベース４００は、たとえば、変圧器１１０を交換した場合など、同じ電気所に設置された変圧器１１０であっても異なる変圧器１１０に関する電圧値の平均値は、別の変圧器１１０の電圧値の平均値として記憶する。また、測定値データベース４００は、電圧値の平均値を記憶するのみでなく、平均値の算出に用いた電圧値すなわち生の測定値に関する情報を記憶していてもよい。
【００５３】
（処理結果データベースの一例）
つぎに、この発明にかかる実施の形態の電圧管理装置１４０が備える処理結果データベースについて説明する。図５は、この発明にかかる実施の形態の電圧管理装置１４０が備える処理結果データベースを示す説明図である。
【００５４】
図５において、この発明にかかる実施の形態の電圧管理装置１４０が備える処理結果データベース５００は、第１の所定時間帯における電圧値のうち、当該第１の所定時間帯における電圧値の最大値（第１の所定時間帯における電圧値の最大値に関する情報）を、第１の所定時間帯ごとに関連付けて記憶する。また、処理結果データベース５００は、第１の所定時間帯における電圧値のうち、当該第１の所定時間帯における電圧値の最小値（第１の所定時間帯における電圧値の最小値に関する情報）を、第１の所定時間帯ごとに関連付けて記憶する。
【００５５】
第１の所定時間帯における電圧値の最大値は、第１の所定時間帯よりも長い所定の期間における同一の時間帯に取得された複数の電圧値のうち、もっとも高い電圧値とされる。具体的には、第１の所定時間帯における電圧値の最大値は、たとえば、１ヶ月間を所定の期間とする場合に、当該１ヶ月間における毎日の１時に取得された３０回分の電圧値のうち、もっとも高い電圧値とされる。
【００５６】
第１の所定時間帯における電圧値の最大値あるいは所定時間帯における電圧値の最小値の算出にかかる「所定の期間」は、１ヶ月間に限るものではない。当該所定の期間は、たとえば、１年間であってもよく、５年間であってもよく、１０年間であってもよい。また所定の期間は、たとえば、電圧値の取得を開始してからの期間であってもよい。
【００５７】
第１の所定時間帯における電圧値の最小値は、第１の所定時間帯よりも長い所定の期間における同一の時間帯に取得された複数の電圧値のうち、もっとも低い電圧値とされる。具体的には、所定時間帯における電圧値の最小値は、たとえば、１ヶ月を所定の期間とする場合に、当該１ヶ月間における毎日の１時に取得された３０回分の電圧値のうち、もっとも低い電圧値とされる。電圧値の最大値および最小値の取得にかかる所定の期間は、同一の期間とすることが好ましい。
【００５８】
また、処理結果データベース５００は、第１の所定時間ごとに、当該第１の所定時間帯における電圧値の平均値（第１の所定時間帯における電圧値の平均値に関する情報）を関連付けて記憶する。この実施の形態においては、以下、「第１の所定時間帯における電圧値の平均値」を「第１の平均値」として説明する。
【００５９】
また、処理結果データベース５００は、第１の所定時間帯ごとに、第１の平均値と目標電圧値との差分（第１の平均値と目標電圧値との差分に関する情報）を関連付けて記憶する。第１の平均値と目標電圧値との差分は、第１の平均値と、目標電圧値データベース３００が第１の所定時間帯ごとに関連付けて記憶する目標電圧値のうち該当する第１の所定時間帯における目標電圧値と、に基づいて算出することができる。
【００６０】
また、処理結果データベース５００は、第２の所定時間帯における上記差分の平均値（差分の平均値に関する情報）を記憶する。この実施の形態においては、以下、「第２の所定時間帯における上記差分の平均値」を「第２の平均値」として説明する。第２の所定時間帯は、第１の所定時間帯の時間よりも長い時間とすることができる。
【００６１】
第２の所定時間帯は、たとえば、第１の所定時間帯よりも長い、上記の所定期間によって実現することができる。具体的には、たとえば、「１時〜２時（１時５９分５９秒）」、「２時〜３時（２時５９分５９秒）」、・・・、「２３時〜２４時（２３時５９分５９秒）」などのように正時からつぎの正時までの時間帯を第１の所定時間帯とした場合、「２時〜４時（３時５９分５９秒）の２時間」、「７時〜１９時（１８時５９分５９秒）までの１２時間」、「１９時〜１時（０時５９分５９秒）までの４時間」など、第１の所定時間帯より長い時間帯を第２の所定時間帯とすることができる。
【００６２】
（整定変更量データベースの一例）
つぎに、この発明にかかる実施の形態の電圧管理装置１４０が備える整定変更量データベースについて説明する。図６は、この発明にかかる実施の形態の電圧管理装置１４０が備える整定変更量データベースを示す説明図である。図６において、この発明にかかる実施の形態の電圧管理装置１４０が備える整定変更量データベース６００は、変更量としての整定変更量を記憶する。整定変更量は、上記の処理結果データベース５００における第２の平均値に基づいて算出することができる。具体的には、整定変更量は、自動電圧調整継電器の整定可能ステップに丸めることによって算出することができる。
【００６３】
（想定値データベースの一例）
つぎに、この発明にかかる実施の形態の電圧管理装置１４０が備える想定値データベースについて説明する。図７は、この発明にかかる実施の形態の電圧管理装置１４０が備える想定値データベースを示す説明図である。図７において、この発明にかかる実施の形態の電圧管理装置１４０が備える想定値データベース７００は、第１の所定時間帯ごとに、当該第１の所定時間帯ごとの整定変更後の想定値を関連付けて記憶する。
【００６４】
整定変更後の想定値は、上記の処理結果データベース５００における第１の平均値から、上記の整定変更量データベース６００における整定変更量を減算することによって算出することができる。想定値データベース７００は、第１の所定時間帯ごとに、当該第１の所定時間帯における整定変更後の想定値を関連付けて記憶する。
【００６５】
（電圧カーブの一例）
つぎに、電圧カーブの一例について説明する。図８は、電圧カーブの一例を示すグラフである。図８において、電圧カーブは、上記の測定値データベース４００における第１の所定時間帯ごとの第１の平均値、上記の処理結果データベース５００における第１の所定時間帯ごとの最大値および最小値、および、上記の想定値データベース７００における整定変更後の想定値、に基づいて作成することができる。
【００６６】
図８において、符号８０１は、目標電圧値を示している。また、図８において、符号８０２、８０３は、目標電圧値に対する運用幅の上限値（符号８０２を参照）および目標電圧値に対する運用幅の下限値（符号８０３を参照）を示している。上記の整定変更後の想定値（符号８０４を参照）は、第１の所定時間帯における各第１の平均値から、同一の第１の所定時間帯における整定変更量を減算することによって算出することができる。
【００６７】
図８において、符号８０５、８０６、８０７は、計器用変圧器１２０が実際に測定した電圧値に基づく電圧カーブ（実績）であって、符号８０５は第１の平均値を示し、符号８０６は各第１の所定時間帯における電圧値の最大値を示し、符号８０７は各第１の所定時間帯における電圧値の最小値を示している。図８からわかるように、整定変更後の想定値８０４は、整定変更前と比較して、目標電圧値（目標値）に近づいている。
【００６８】
（出力回数データベースの一例）
つぎに、出力回数データベースの一例について説明する。図９は、出力回数データベースの一例を示す説明図である。図９において、出力回数データベース９００は、電圧管理装置１４０から自動電圧調整継電器１３０に対する変更指示の出力回数を記憶する。変更指示は、変圧器１１０の電圧値を調整する自動電圧調整器１３０に対して整定値の変更を指示する情報であって、過去に取得した電圧値に基づいて、電圧管理装置１４０から自動電圧調整継電器１３０に対して出力される。変更指示の出力方法については、説明を後述する。
【００６９】
出力回数データベース９００は、電圧管理装置１４０から自動電圧調整継電器１３０に対する変更指示の出力回数を変圧器１１０ごとに記憶する。１台の変圧器１１０に対して１台の自動電圧調整継電器１３０が接続されている場合、出力回数データベース９００は、電圧管理装置１４０から自動電圧調整継電器１３０に対する変更指示の出力回数を自動電圧調整継電器１３０ごとに記憶するものであってもよい。
【００７０】
（表示画面例）
つぎに、この発明にかかる実施の形態の電圧管理装置１４０の表示画面例について説明する。図１０および図１１は、この発明にかかる実施の形態の電圧管理装置１４０の表示画面例を示す説明図である。図１０および図１１において、表示画面１０００、１１００は、電圧管理装置１４０を実現するコンピュータ装置が備えるディスプレイ２０８に表示される。
【００７１】
図１０において、表示画面１０００は、整定変更をおこなう変圧器１１０に関する情報、当該変圧器１１０の電圧値に関する情報などを表示する。整定変更をおこなう変圧器１１０に関する情報は、たとえば、該当する変圧器１１０や当該変圧器１１０が設置された電気所などを特定可能な情報によって実現することができる。変圧器１１０の電圧値に関する情報は、たとえば、第１の所定時間帯ごとの目標電圧値や、第１の所定時間帯ごとの第１の平均値（図１０においては「実測電圧値」と記載）、整定変更量などに関する情報によって実現することができる。
【００７２】
また、表示画面１０００は、表示画面１０００に表示された情報にしたがって整定変更を実行するか否か、すなわち変更指示の出力の可否に関する指示情報の入力を要求する。電圧管理装置１４０の管理者は、ディスプレイ２０８に表示画面１０００が表示された状態で操作部２０９に対する所定の操作をおこなうことによって、整定変更を実行する「実行する」キーまたは整定変更を実行しない「実行しない」キーを操作し、変更指示の出力の可否を示す指示情報を電圧管理装置１４０に入力する。電圧管理装置１４０は、表示画面１０００を表示した状態で「実行する」キーが操作されることによって指示情報が入力された場合、入力された指示情報にしたがって、該当する自動電圧調整継電器１３０に対して変更指示を出力する。
【００７３】
また、表示画面１０００は、表示画面１０００に表示された情報に関連する情報を表示する別の表示画面１１００を表示させる表示指示の入力を受け付ける「電圧カーブを確認する」キーを表示する。電圧管理装置１４０の管理者は、ディスプレイ２０８に表示画面１０００が表示された状態で操作部２０９に対する所定の操作をおこなうことによって、「電圧カーブを確認する」キーを操作し、別の表示画面１１００を表示させる表示指示を電圧管理装置１４０に入力する。電圧管理装置１４０は、表示画面１０００を表示した状態で「電圧カーブを確認する」キーが操作されることによって表示指示が入力された場合、入力された表示指示にしたがって、別の表示画面１１００を表示する。
【００７４】
図１１において、表示画面１１００は、ディスプレイ２０８に表示画面１０００が表示された状態で操作部２０９に対する所定の操作をおこなうことによって、「電圧カーブを確認する」キーが操作された場合に、ディスプレイ２０８に表示される。表示画面１１００は、整定変更をおこなう変圧器１１０に関する情報、整定変更後の想定値に関する情報、電圧カーブを示すグラフ、などを表示する。
【００７５】
表示画面１１００は、上記の想定値データベース７００が記憶する情報に基づいて整定変更後の想定値に関する情報を表示する。また、表示画面１１００は、上記の測定値データベース４００における第１の所定時間帯ごとの第１の平均値、上記の処理結果データベース５００における第１の所定時間帯ごとの最大値および最小値、および、上記の想定値データベース７００における整定変更後の想定値、に基づいて作成される、図８に示した電圧カーブをグラフの形式で示す。
【００７６】
（電圧管理装置１４０の機能的構成）
つぎに、この発明にかかる実施の形態の電圧管理システム１００における、電圧管理装置１４０の機能的構成について説明する。図１２は、この発明にかかる実施の形態の電圧管理装置１４０の機能的構成を示すブロック図である。
【００７７】
図１２において、この発明にかかる実施の形態の電圧管理システム１００における、電圧管理装置１４０の各機能は、電圧値取得部１２０１と、記憶部１２０２と、出力回数記憶部１２０２ａと、第１の平均値算出部１２０３と、第２の平均値算出部１２１３と、判断部１２０４と、変更量算出部１２０５と、入力要求出力部１２０６と、表示部１２０７と、操作受付部１２０８と、変更指示受付部１２０９と、変更指示出力部１２１０と、出力回数判断部１２１１と、報知部１２１２と、によって実現される。
【００７８】
この発明にかかる実施の形態の電圧管理システム１００における、電圧値取得部１２０１、記憶部１２０２、出力回数記憶部１２０２ａ、第１の平均値算出部１２０３、第２の平均値算出部１２１３、判断部１２０４、変更量算出部１２０５、入力要求出力部１２０６、表示部１２０７、操作受付部１２０８、変更指示受付部１２０９、変更指示出力部１２１０、出力回数判断部１２１１、報知部１２１２は、電圧管理装置１４０を実現するコンピュータ装置が備える各部によって実現することができる。
【００７９】
電圧値取得部１２０１は、電路中に配設されタップ切換が可能な変圧器１１０の下位における電圧値に関する情報を取得する。電圧値に関する情報は、変圧器１１０の下位に出力された電圧を特定可能な情報であって、たとえば、計器用変圧器１２０が降圧した電圧値を測定することによって取得することができる。
【００８０】
電圧値取得部１２０１は、たとえば、各第１の所定時間帯において１回ずつ、電圧値に関する情報を取得する。具体的には、たとえば、「１時〜２時（１時５９分５９秒）」、「２時〜３時（２時５９分５９秒）」、・・・、「２３時〜２４時（２３時５９分５９秒）」などを第１の所定時間帯とする場合、電圧値取得部１２０１は、「１時０分」、「２時０分」、・・・のように正時が到来するごとに、電圧値に関する情報を取得する。電圧値取得部１２０１は、たとえば、各第１の所定時間帯において複数回ずつ、電圧値に関する情報を取得するものであってもよい。
【００８１】
あるいは、電圧値取得部１２０１は、たとえば、電圧値に関する情報を取得してから所定時間が経過するごとに、電圧値に関する情報を取得してもよい。具体的には、たとえば、「１時〜２時（１時５９分５９秒）」、「２時〜３時（２時５９分５９秒）」、・・・、「２３時〜２４時（２３時５９分５９秒）」などを第１の所定時間帯とする場合、電圧値取得部１２０１は、「１時０分」、「１時１０分」、「１時２０分」、・・・、「２時０分」、「２時１０分」、・・・のように１０分が経過するごとに、電圧値に関する情報を取得してもよい。
【００８２】
記憶部１２０２は、電圧値取得部１２０１が取得した電圧値に関する情報を記憶する（図１における「（２）データ蓄積」を参照）。具体的には、記憶部１２０２は、上記の測定値データベース４００おける各種の情報を記憶する。また、記憶部１２０２は、上記の処理結果データベース５００における各種の情報を記憶する。また、記憶部１２０２は、上記の整定変更量データベース６００における情報や、上記の想定値データベース７００における情報などを記憶する。
【００８３】
また、記憶部１２０２は、出力回数記憶部１２０２ａを備えている。出力回数記憶部１２０２ａは、電圧管理装置１４０から自動電圧調整継電器１３０に対する変更指示の出力回数を記憶する。出力回数記憶部１２０２ａは、変更指示の出力回数を変圧器１１０ごとに記憶する。出力回数記憶部１２０２ａは、たとえば、上記の出力回数データベース９００によって実現することができる。
【００８４】
第１の平均値算出部１２０３は、電圧値取得部１２０１が取得した情報に基づいて、第１の平均値を算出する。第１の平均値算出部１２０３は、第１の所定時間帯よりも長い所定の期間（たとえば、１ヶ月間）における同一の時間帯（たとえば、「１時〜２時（１時５９分５９秒）」）に取得された複数の電圧値に基づいて第１の平均値を算出する。
【００８５】
第１の平均値算出部１２０３は、たとえば、電圧値取得部１２０１が電圧値に関する情報を取得するごとに第１の平均値を算出する。あるいは、第１の平均値算出部１２０３は、たとえば、記憶部１２０２が、電圧値取得部１２０１が取得した電圧値に関する情報を記憶するごとに第１の平均値を算出するものであってもよい。また、第１の平均値算出部１２０３は、たとえば、所定の時刻が到来するごとに第１の平均値を算出するものであってもよく、前回第１の平均値を算出してから所定時間が経過するごとに第１の平均値を算出するものであってもよい。
【００８６】
第２の平均値算出部１２１３は、第１の平均値算出部１２０３が算出した第１の平均値とあらかじめ設定された第１の所定時間帯ごとの目標電圧値とに基づいて、第２の平均値（図５における「Ｂの平均値」を参照）を算出する。第２の平均値算出部１２１３は、たとえば、「２時〜４時の２時間」が第２の所定時間帯である場合は、「２時〜３時」における第１の平均値と目標電圧値との差分と、「３時〜４時」における第１の平均値と目標電圧値との差分と、の平均値を第２の平均値として算出する。
【００８７】
判断部１２０４は、第２の平均値算出部１２１３が算出した第２の平均値が、あらかじめ設定された規定量以上であるか否かを判断する（図１における「（３）電圧状況チェック」、「（４）整定変更検討」を参照）。判断部１２０４は、第２の平均値算出部１２１３が算出した第２の平均値が、あらかじめ設定された規定量以上であるか否かを、第２の所定時間帯ごとに判断する。
【００８８】
「規定量」、すなわち「第２の平均値の判断にかかる閾値」は、たとえば、電圧管理システム１００の管理者などによって任意に設定することができる。第２の平均値の判断にかかる閾値は、すべての第２の所定時間帯において同一の値を設定する。また、第２の平均値の判断にかかる閾値は、第２の所定時間帯ごとに異なる値を設定してもよい。
【００８９】
変更量算出部１２０５は、第１の平均値と目標電圧値とに基づいて、整定変更量（変更量）を算出する。整定変更量は、各第１の平均値を、該当する時間帯における目標電圧値（目標値）に近づけるように各第１の平均値に加算あるいは減算する値であって、変更量算出部１２０５は、第２の平均値算出部１２１３が算出した第２の平均値が規定量以上である場合に整定変更量（変更量）を算出する。
【００９０】
入力要求出力部１２０６は、上記の判断部１２０４が第２の平均値が規定量以上である場合であると判断した場合に、所定のユーザーインターフェースを介して、変更指示の出力の可否に関する指示情報の入力を要求する入力要求を出力する。所定のユーザーインターフェースは、電圧管理装置１４０を実現するコンピュータ装置あるいは当該コンピュータ装置が実行するプログラムと人間（電圧管理を担う作業者）との間における情報のやり取りを実現し、たとえば、電圧管理装置１４０を実現するコンピュータ装置が備えるディスプレイ２０８などの表示部１２０７によって実現することができる。
【００９１】
入力要求出力部１２０６は、上記の判断部１２０４が第２の平均値が規定量以上であると判断した場合に、たとえば、電圧管理装置１４０を実現するコンピュータ装置が備えるディスプレイ２０８などによって実現される表示部１２０７に上記の表示画面１０００を表示し、作業者に対して整定変更を実行する「実行する」キーあるいは整定変更を実行しない「実行しない」キーのいずれかを選択させることによって指示情報の入力を要求する（図１における「（５）解析情報、整定変更実施確認」を参照）。
【００９２】
操作受付部１２０８は、入力要求出力部１２０６が出力した入力要求に応じて、整定変更を実行するか否かを示す情報の入力を受け付ける。操作受付部１２０８は、たとえば、電圧管理装置１４０を実現するコンピュータ装置のディスプレイ２０８に表示画面１０００を表示している状態で、操作部２０９に対する所定の入力操作を受け付けることによって「実行する」キーあるいは「実行しない」キーのいずれかのキー操作を受け付け、受け付けたキー操作に応じた信号を変更指示受付部１２０９に出力する。
【００９３】
変更指示受付部１２０９は、電圧管理装置１４０を実現するコンピュータ装置のディスプレイ２０８に表示画面１０００を表示している状態で、操作部２０９に対する所定の入力操作を受け付けることによって「実行する」キーが操作された場合に、整定変更の実行を指示する変更指示を受け付ける（図１における「（６）整定変更実施承認」を参照）。
【００９４】
変更指示出力部１２１０は、入力要求出力部１２０６が出力した入力要求に対する指示情報に基づいて変更指示を出力する（図１における「（７）整定変更」を参照）。変更指示出力部１２１０は、たとえば、入力要求出力部１２０６が表示画面１０００を表示することによって入力要求を出力した結果、操作受付部１２０８において作業者による「実行する」キーの操作を受け付けた場合に変更指示を出力する。
【００９５】
変更指示は、変圧器１１０の電圧値を調整する自動電圧調整器１３０に対して整定値の変更を指示する指示情報であって、変更量算出部１２０５が算出した整定変更量に関する情報を含む。変更指示出力部１２１０は、たとえば、整定変更後の想定値が目標電圧値（目標値）に近づくように整定値の変更を指示する変更指示を出力する。目標電圧値は、作業者が任意に設定した値であってもよいし（図１における「（８）目標電圧の整定」）、電圧管理装置１４０によって算出された設定した値であってもよい。
【００９６】
変更指示出力部１２１０は、たとえば、該当する変圧器１１０のタップ切換制御をおこなう自動電圧調整継電器１３０に対して変更指示を出力する。自動電圧調整継電器１３０は、電圧管理装置１４０から出力された変更指示を受信すると、受信した変更指示にしたがって該当する変圧器１１０の制御にかかる整定値を変更する。
【００９７】
変更指示出力部１２１０は、上記の判断部１２０４が第２の平均値が規定量以上であると判断した場合に変更指示を出力するものであってもよい。すなわち、この場合、上記の判断部１２０４が第２の平均値が規定量以上であると判断した場合、入力要求出力部１２０６によって入力要求を出力せず、該当する変圧器１１０の自動電圧調整継電器１３０に対して変更指示を出力する。また、この場合、入力要求出力部１２０６によって入力要求を出力しないため、当該入力要求に対する作業者の指示情報（「実行する」キー）の入力の受け付けも待機しない。
【００９８】
変更指示出力部１２１０は、たとえば、特定の時間帯における整定値を切り換えるよう指示する変更指示を出力してもよい。この場合、自動電圧調整継電器１３０は、変更指示に基づいて該当する時間帯における整定値を変更する。
【００９９】
出力回数記憶部１２０２ａは、変更指示出力部１２１０による変更指示の出力回数を記憶する。出力回数記憶部１２０２ａは、変更指示出力部１２１０による変更指示の出力回数を、自動電圧調整継電器１３０ごとに記憶する。１台の自動電圧調整継電器１３０が複数の変圧器１１０のタップ切換を制御している場合、出力回数記憶部１２０２ａは、変更指示出力部１２１０による変更指示の出力回数を、変圧器１１０ごとに記憶してもよい。これによって、整定値の切り換え回数を自動電圧調整継電器１３０ごとあるいは変圧器１１０ごとに管理することができる。
【０１００】
出力回数判断部１２１１は、出力回数記憶部１２０２ａが記憶する出力回数が、あらかじめ設定された規定回数以上であるか否かを判断する。規定回数は、たとえば、電圧管理システム１００の作業者などが任意に設定することができる。規定回数は、自動電圧調整継電器１３０ごと、あるいは変圧器１１０ごとに設定されていてもよい。これによって、たとえば、支障なく運転している変圧器１１０と細かい監視が必要と判断された変圧器１１０とで、それぞれ異なる管理をおこなうことができる。
【０１０１】
報知部１２１２は、出力回数判断部１２１１が出力回数が規定回数以上であると判断した場合に、ユーザーインターフェースを介して、出力回数が規定回数以上であることを報知する。報知部１２１２は、たとえば、電圧管理装置１４０を実現するコンピュータ装置が備えるディスプレイ２０８に、「自動タップ切換が規定回数に達しました。」や「変圧器の状態を確認してください。」などの、出力回数が規定回数以上であることを案内するメッセージや、該当する変圧器１１０や当該変圧器１１０が設置されている電気所を案内する情報などを示す表示画面を表示することによって出力回数が規定回数以上であることを報知する。
【０１０２】
（電圧管理装置１４０の処理手順）
つぎに、この発明にかかる実施の形態の電圧管理システムにおける電圧管理装置１４０の処理手順について説明する。図１３および図１４は、この発明にかかる実施の形態の電圧管理システムにおける電圧管理装置１４０の処理手順を示すフローチャートである。
【０１０３】
図１３のフローチャートにおいて、まず、第１の所定時間帯における電圧値（電圧値に関する情報）の取得（測定）時期か否かを判断する（ステップＳ１３０１）。ステップＳ１３０１においては、たとえば、電圧値（電圧値に関する情報）の取得を第１の所定時間帯ごとに１回ずつおこなう場合、電圧値（電圧値に関する情報）の取得時期は、たとえば、「１時０分」、「２時０分」、・・・のように正時が到来した時期とすることができる。
【０１０４】
ステップＳ１３０１において、第１の所定時間帯における電圧値（電圧値に関する情報）の取得（測定）時期ではない場合（ステップＳ１３０１：Ｎｏ）は、取得時期になるまで待機する。一方、ステップＳ１３０１において、第１の所定時間帯における電圧値（電圧値に関する情報）の取得（測定）時期である場合（ステップＳ１３０１：Ｙｅｓ）は、該当する変圧器１１０の計器用変圧器１２０から、それぞれ、電圧値（電圧値に関する情報）を取得する（ステップＳ１３０２）。そして、ステップＳ１３０２において取得された電圧値（電圧値に関する情報）を、測定値データベース４００に記憶して（ステップＳ１３０３）、一連の処理を終了する。
【０１０５】
図１４のフローチャートにおいて、まず、目標電圧値の確認時期か否かを判断する（ステップＳ１４０１）。ステップＳ１４０１において、目標電圧値の確認時期ではない場合（ステップＳ１４０１：Ｎｏ）は、目標電圧値の確認時期まで待機する。一方、ステップＳ１４０１において、目標電圧値の確認時期である場合（ステップＳ１４０１：Ｙｅｓ）は、各変圧器１１０の電圧値（電圧値に関する情報）を取得する（ステップＳ１４０２）。ステップＳ１４０２においては、測定値データベース４００を参照して、該当する変圧器１４０にかかる電圧値（電圧値に関する情報）を取得する。
【０１０６】
そして、ステップＳ１４０２において取得された電圧値（電圧値に関する情報）に基づいて、所定のデータ処理をおこなう（ステップＳ１４０３）。ステップＳ１４０３においては、たとえば、変圧器ごとの、各第１の所定時間帯における電圧値の最大値や最小値を取得する。また、ステップＳ１４０３においては、たとえば、取得された電圧値に基づいて、各第１の所定時間帯における第１の平均値を算出する。また、ステップＳ１４０３においては、目標電圧値と第１の平均値との差分を算出し、当該差分の第２の所定時間帯における平均値である第２の平均値（Ｂの平均値）を算出する。
【０１０７】
つぎに、第２の所定時間帯ごとに、第２の平均値（Ｂ）が規定量以上であるか否かを判断する（ステップＳ１４０４）。ステップＳ１４０４において、第２の平均値（Ｂ）が規定量以上ではない場合（ステップＳ１４０４：Ｎｏ）は、ステップＳ１４０２において取得した各種の値や算出によって得られた値に基づいて、図８に示した電圧カーブを作成して（ステップＳ１４０５）、一連の処理を終了する。
【０１０８】
一方、ステップＳ１４０４において、第２の平均値（Ｂ）が規定量以上である場合（ステップＳ１４０４：Ｙｅｓ）は、ステップＳ１４０２において取得した各種の値や算出によって得られた値に基づいて整定変更量を算出する（ステップＳ１４０６）とともに、ステップＳ１４０２において取得した各種の値や算出によって得られた値に基づいて、電圧の整定変更後の想定値を算出する（ステップＳ１４０７）。
【０１０９】
つぎに、ステップＳ１４０２において取得した各種の値や算出によって得られた値、ステップＳ１４０６において算出された整定変更量、ステップＳ１４０７において算出された電圧の整定変更後の想定値に基づいて電圧カーブを作成する（ステップＳ１４０８）。そして、入力要求を出力する（ステップＳ１４０９）。
【０１１０】
ステップＳ１４０９において入力要求を出力した結果、操作部２０９に対する操作によって整定変更をおこなう入力指示があったか否かを判断する（ステップＳ１４１０）。ステップＳ１４１０において、整定変更をおこなう入力指示がない場合（ステップＳ１４１０：Ｎｏ）は、一連の処理を終了する。
【０１１１】
ステップＳ１４１０において、ステップＳ１４０９において入力要求を出力した結果、操作部２０９に対する操作によって整定変更をおこなう入力指示があった場合（ステップＳ１４１０：Ｙｅｓ）は、該当する自動電圧調整継電器１３０に対して変更指示を出力する（ステップＳ１４１１）とともに、変更指示の出力回数である整定変更回数を記憶する（ステップＳ１４１２）。ステップＳ１４１２においては、たとえば、出力回数データベース９００における、該当する変圧器１４０の出力回数を「１回」加算する。
【０１１２】
そして、変更指示の出力回数が規定回数以上であるか否かを判断する（ステップＳ１４１３）。規定回数は、電圧管理システム１００を管理する作業者などによってあらかじめ定められた任意の数であって、たとえば、「５回」、「８回」などのように任意に設定することができる。規定回数は、電圧管理システム１００を構成する変圧器１４０すべてにわたって同じ回数であってもよいし、変圧器１４０ごとに異なる回数であってもよい。
【０１１３】
ステップＳ１４１３において、変更指示の出力回数が規定回数以上ではない場合（ステップＳ１４１３：Ｎｏ）は、一連の処理を終了する。一方、ステップＳ１４１３において、変更指示の出力回数が規定回数以上である場合（ステップＳ１４１３：Ｙｅｓ）は、アラームを出力して（ステップＳ１４１４）、一連の処理を終了する。
【０１１４】
ステップＳ１４１４においては、たとえば、電圧管理装置１４０を実現するコンピュータ装置が備えるディスプレイ２０８に、「自動電圧調整器故障の可能性有り」、「該当変圧器の確認をおこなってください」、「管理Ｎｏ．＊＊＊＊＊（広島電気所）」などのメッセージを表示させることによりアラームの出力を実現する。あるいは、ステップＳ１４１４においては、たとえば、電圧管理装置１４０を実現するコンピュータ装置にスピーカを接続し、当該スピーカを介して「ビーッビーッビーッ」、「ビーッ」、「ピピピピ・・・」などの警告音声を出力することによりアラームの出力を実現してもよい。あるいは、電圧管理装置１４０を実現するコンピュータ装置が備えるディスプレイ２０８と、当該コンピュータ装置に接続したスピーカと、の両方を用いてアラームの出力を実現してもよい。
【０１１５】
図１３および図１４に示した処理は、変圧器１４０ごとに実行される。すなわち、図１３に示した処理においては、１００台の変圧器１４０を含む電圧管理システム１００であれば、変圧器１４０ごとに、それぞれ、第１の所定時間帯における電圧値（電圧値に関する情報）の取得（測定）時期か否かを判断し、取得（測定）時期に該当すると判断された該当する変圧器１１０の計器用変圧器１２０から電圧値（電圧値に関する情報）をそれぞれ取得（測定）する。
【０１１６】
図１４に示した処理においては、１００台の変圧器１４０を含む電圧管理システム１００であれば、変圧器１４０ごとに、それぞれ、目標電圧値の確認時期か否かを判断し、目標電圧値の確認時期であると判断された変圧器１１０の電圧値（電圧値に関する情報）をそれぞれ取得する（ステップＳ１４０２）。
【０１１７】
以上説明したように、この発明にかかる実施の形態の電圧管理装置１４０は、電路中に配設されタップ切換が可能な変圧器１１０の下位における電圧値に関する情報を取得し、取得した情報に基づいて算出される第１の平均値を用いて第２の平均値を算出し、算出した第２の平均値が規定量以上であるか否かを判断し、判断の結果、第２の平均値が規定量以上である場合に、変圧器１１０の電圧値を調整する自動電圧調整器１３０に対して整定値の変更を指示する変更指示を出力するようにしたことを特徴としている。
【０１１８】
このように、この発明にかかる実施の形態の電圧管理装置１４０によれば、電路における電圧を管理する従来のシステムに対し、電路における電圧値を作業者の作業を介することなく自動で監視する機能と、電路における電圧値の整定変更をおこなうか否かの判断を作業者の作業を介することなく自動でおこなう機能と、整定変更をおこなう判断をした場合は作業者の作業を介することなく自動で電圧値を補正する機能と、を追加することができる。
【０１１９】
この発明にかかる実施の形態の電圧管理装置１４０によれば、作業者は、各電気所１０１の電圧状況を個別に確認したり、確認したデータに基づいて整定変更が必要がどうかを判断したりすることなく、整定変更の必要が生じた場合に整定変更をおこなうことができる。これによって、電圧状況の確認や判断にかかる作業者の負担を軽減することができる。また、これによって、整定変更が必要な時に確実に整定変更をおこなうことができるので、電圧品質の向上を図ることができる。このように、この発明にかかる実施の形態の電圧管理装置１４０によれば、電圧状況の管理にかかる作業者の負担軽減および電圧品質の向上の両立を図りつつ、電圧状況の最適化を図ることができる。
【０１２０】
また、この発明にかかる実施の形態の電圧管理装置１４０は、第２の所定時間帯ごとに第２の平均値が規定量以上であるか否かを判断し、第２の平均値が前記規定量以上であると判断された場合は、当該第２の平均値の算出にかかる第１の平均値が該当する第１の所定時間帯における整定値の変更を指示する変更指示を出力するように構成してもよい。このような電圧管理装置１４０によれば、整定変更が必要な時間帯における整定値を適宜変更することができるので、電圧状況の一層の最適化を図ることができる。
【０１２１】
また、この発明にかかる実施の形態の電圧管理装置１４０は、第１の平均値と目標電圧値とに基づいて、第１の所定時間帯よりも長い第２の所定時間帯における各第１の平均値を、各第１の所定時間帯の目標電圧値に近づけるように各第１の平均値に加算あるいは減算する変更量を算出し、算出した変更量に関する情報を含む変更指示を出力することを特徴としている。この発明にかかる実施の形態の電圧管理装置１４０によれば、実測値に基づいて算出した変更量に基づいて基準値を変更することができるので、実際の現場に則した整定変更をおこなうことができる。これによって、電圧状況の一層の最適化を図ることができる。
【０１２２】
また、この発明にかかる実施の形態の電圧管理装置１４０は、差分が閾値以上である場合に、所定のユーザーインターフェースを介して、変更指示の出力の可否に関する指示情報の入力を要求する入力要求を出力し、出力した入力要求に対する指示情報に基づいて変更指示を出力することを特徴としている。
【０１２３】
この発明にかかる実施の形態の電圧管理装置１４０によれば、整定変更の必要が生じた場合は、整定変更の実行の可否を作業者に確認し、確認を要求された作業者による整定変更の指示があった場合に整定変更をおこなうことができる。これによって、作業者が整定変更の必要が生じた電気所１０１におもむくことなく整定変更をおこなうことができる。
【０１２４】
また、この発明にかかる実施の形態の電圧管理装置１４０によれば、整定変更の必要が生じ、かつ、作業者による整定変更の指示があった場合にのみ整定変更をおこなうことができる。これによって、不必要な整定変更がおこなわれることがないので、電圧品質の向上を図ることができる。
【０１２５】
また、この発明にかかる実施の形態の電圧管理装置１４０は、変更指示の出力回数を記憶し、記憶する出力回数があらかじめ設定された規定回数以上である場合に、ユーザーインターフェースを介して、出力回数が規定回数以上であることを報知することを特徴としている。
【０１２６】
この発明にかかる実施の形態の電圧管理装置１４０によれば、変更指示が規定回数以上出力された場合は、作業者に対して変圧器１１０の故障など変圧器１１０自体の不具合を想定させることができる。これによって、変圧器１１０自体の不具合を早期に発見し解消することができる。そして、これによって、電圧品質の向上を図ることができる。
【０１２７】
上述した実施の形態においては、この発明にかかる実施の形態の一例として、電圧管理装置１４０を用いて複数の自動電圧調整器１３０の整定値を確認し、必要に応じて当該整定値を変更する電圧管理システム１００について説明したが、これに限るものではない。たとえば、電圧管理システム１００を構成する自動電圧調整器１３０における整定値を電圧管理装置１４０が一括して管理することに代えて、自動電圧調整器１３０ごとに整定値の管理をおこなうようにしてもよい。
【０１２８】
この場合、具体的には、各自動電圧調整器１３０が備えるマイクロコンピュータに、上述した電圧管理方法を実現する電圧管理プログラム（自動電圧チェックプログラム）をそれぞれインストールすることにより、自動電圧調整器１３０ごとに該当する変圧器１１０の電圧状況の最適化を図ることができる。この場合、より具体的には、ＣＰＵとともに自動電圧調整器１３０が備えるマイクロコンピュータを構成するメモリに電圧管理プログラム（自動電圧チェックプログラム）をそれぞれインストールする。
【０１２９】
これにより、電圧管理システム１００を構成する自動電圧調整器１３０における整定値を電圧管理装置１４０が一括して管理する場合と比較して、上述した電圧管理方法を確実に実現することができる。たとえば、複数の自動電圧調整器１３０における各整定値を電圧管理装置１４０が一括して管理する電圧管理システム１００においては、電圧管理装置１４０が故障した場合、すべての自動電圧調整器１３０が正常に動作しない状況が発生しうる。
【０１３０】
これに対して、自動電圧調整器１３０ごとに整定値の管理をおこなうようにした場合は、電圧管理システムを構成するいずれかの自動電圧調整器１３０が故障した場合にも、当該故障した自動電圧調整器１３０以外の自動電圧調整器１３０は正常に動作を続け、変圧器１１０を正常に制御することができる。これによって、電圧状況の管理にかかる作業者の負担軽減および電圧品質の向上の両立を図りつつ、電圧状況の最適化を図り、さらに、最適化された電圧状況を維持することができる。
【０１３１】
なお、この実施の形態で説明した電圧管理方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１３２】
以上のように、この発明にかかる電圧管理装置、電圧管理方法および電圧管理プログラムは、電路中の電圧値の管理に有用であり、特に、電気所における変圧器が変圧する電圧値の管理に適している。
【符号の説明】
【０１３３】
１００  電圧管理システム
１１０  変圧器
１２０  計器用変圧器
１３０  自動電圧調整継電器
１４０  電圧管理装置
１２０１  電圧値取得部
１２０２  記憶部
１２０３  第１の平均値算出部
１２０４  判断部
１２０５  変更量算出部
１２０６  入力要求出力部
１２０２ａ  出力回数記憶部
１２１０  変更指示出力部
１２１１  出力回数判断部
１２１２  報知部
１２１３  第２の平均値算出部
【図１】
0005394421.tif 000002
【図２】
0005394421.tif 000003
【図３】
0005394421.tif 000004
【図４】
0005394421.tif 000005
【図５】
0005394421.tif 000006
【図６】
0005394421.tif 000007
【図７】
0005394421.tif 000008
【図８】
0005394421.tif 000009
【図９】
0005394421.tif 000010
【図１０】
0005394421.tif 000011
【図１１】
0005394421.tif 000012
【図１２】
0005394421.tif 000013
【図１３】
0005394421.tif 000014
【図１４】
0005394421.tif 000015